(57)【要約】【課題】可能な限り安全な手法により飲酒状態の運転者が自発的に運転操作を止めるように促す飲酒運転抑止システムを提供する。【解決手段】飲酒運転抑止システム１０において、エアコンＥＣＵ２６は、アルコール検知センサ１２により運転者の飲酒状態が検知されたときは、温度センサ１６により検出された外気温が高いほど車室内の温度を高く制御し、温度センサ１６により検出された外気温が低いほど車室内の温度を低く制御する。これにより、判断力、反射能力等が低下した飲酒者に対しても感覚的に不快感を与えることができ、車内環境の不快さに耐えかねた運転者に運転操作を続行する意欲を低下させ、自発的に車両を停止させて運転操作を止めることを期待できる。また、車両の運動性能の変更、運転特性の変更及び視界不良を引き起こすものではないため、安全性も担保される。【選択図】図１
2008184047.tif 000002
【特許請求の範囲】
【請求項１】
車両を運転する運転者の飲酒状態を検知する飲酒検知手段と、
前記車両の外気温を検出する外気温検出手段と、
前記車両の車室内の温度を制御する車室内温度制御手段と、
を備え、
前記車室内温度制御手段は、前記飲酒検知手段により運転者の飲酒状態が検知されたときは、前記外気温検出手段により検出された外気温が高いほど前記車室内の温度を高く制御し、前記外気温検出手段により検出された外気温が低いほど前記車室内の温度を低く制御する、飲酒運転抑止システム。
【請求項２】
前記車両の車窓の開閉を行う車窓開閉手段をさらに備え、前記車窓開閉手段は、前記外気温検出手段が検出した外気温が低温閾値未満のときは、前記車両の車窓を開く、請求項１に記載の飲酒運転抑止システム。
【請求項３】
前記車窓開閉手段は、前記車両の左側及び右側それぞれに備えられた車窓の開く度合いが異なるように前記車両の車窓を開く、請求項２に記載の飲酒運転抑止システム。
【請求項４】
前記車両の車室内の湿度を増加させる加湿器をさらに備え、前記加湿器は、前記外気温検出手段が検出した外気温が高温閾値以上のときに前記車室内の湿度を増加させる、請求項１〜３のいずれか１項に記載の飲酒運転抑止システム。
【発明の詳細な説明】
【技術分野】
【０００１】
本発明は飲酒運転抑止システムに関し、特に、運転者が飲酒状態にあるときに運転者に運転操作を止めるように促す飲酒運転抑止システムに関するものである。
【背景技術】
【０００２】
従来、盗難された車両の奪回を支援するシステムが提案されている。例えば、特許文献１では、システムが車両の盗難を検知した場合に、警音器の吹鳴、ブレーキ音の発生、窓を開放しての大音量スピーカ出力、空調の変則制御、ブレーキ操作の受付拒否、自律的な急加速等の奪回支援処理を実行することにより、盗難行為者の運転操作の停止を促し、盗難された車両の奪回を支援する技術が提案されている。
【特許文献１】特開２００６−２６４４７１号公報
【発明の開示】
【発明が解決しようとする課題】
【０００３】
ところで、近年では飲酒運転が社会的に非常に問題となっている。このため、飲酒状態の運転者に対しても、運転操作の停止を促すシステムが望まれている。しかしながら、盗難行為者と異なり、飲酒状態の運転者の場合は運転者の判断力、反射能力等が定常時に比べて低下している。そのため、飲酒運転抑止システムにおいては、可能な限り安全な手法によって自発的に飲酒状態の運転者が運転操作を止めるように促すシステムが望ましい。
【０００４】
本発明は、かかる事情に鑑みてなされたものであり、その目的は、可能な限り安全な手法により飲酒状態の運転者が自発的に運転操作を止めるように促す飲酒運転抑止システムを提供することにある。
【課題を解決するための手段】
【０００５】
本発明は、車両を運転する運転者の飲酒状態を検知する飲酒検知手段と、車両の外気温を検出する外気温検出手段と、車両の車室内の温度を制御する車室内温度制御手段と、を備え、車室内温度制御手段は、飲酒検知手段により運転者の飲酒状態が検知されたときは、外気温検出手段により検出された外気温が高いほど車室内の温度を高く制御し、外気温検出手段により検出された外気温が低いほど車室内の温度を低く制御する、飲酒運転抑止システムである。
【０００６】
この構成によれば、車室内温度制御手段は、飲酒検知手段により運転者の飲酒状態が検知されたときは、外気温検出手段により検出された外気温が高いほど車室内の温度を高く制御し、外気温検出手段により検出された外気温が低いほど車室内の温度を低く制御する。そのため、判断力、反射能力等が低下した飲酒者に対しても感覚的に不快感を与えることができ、車内環境の不快さに耐えかねた運転者に運転操作を続行する意欲を低下させ、自発的に車両を停止させて運転操作を止めることを期待できる。また、この構成によれば、車両の運動性能の変更、運転特性の変更及び視界不良を引き起こすものではないため、安全性も担保される。
【０００７】
車両の車窓の開閉を行う車窓開閉手段をさらに備え、車窓開閉手段は、外気温検出手段が検出した外気温が低温閾値未満のときは、車両の車窓を開くことが好適である。
【０００８】
この構成によれば、車窓開閉手段は、外気温検出手段が検出した外気温が低温閾値未満のときは車両の車窓を開くため、飲酒状態の運転者に寒さにより運転操作を続行する意欲を低下させ、運転操作を止めることを期待できる。
【０００９】
この場合、車窓開閉手段は、車両の左側及び右側それぞれに備えられた車窓の開く度合いが異なるように車両の車窓を開くことが好適である。
【００１０】
この構成によれば、車窓開閉手段は、車両の左側及び右側それぞれに備えられた車窓の開く度合いが異なるように車両の車窓を開くため、車室内の風の通り抜けを加速させて運転者の体感温度を寒くでき、飲酒状態の運転者に寒さにより運転操作を続行する意欲を低下させることを期待できる。
【００１１】
一方、車両の車室内の湿度を増加させる加湿器をさらに備え、加湿器は、外気温検出手段が検出した外気温が高温閾値以上のときに車室内の湿度を増加させることが好適である。
【００１２】
この構成によれば、加湿器は、外気温検出手段が検出した外気温が高温閾値以上のときに車室内の湿度を増加させるため、飲酒状態の運転者に蒸し暑さにより運転操作を続行する意欲を低下させ、運転操作を止めることを期待できる。
【発明の効果】
【００１３】
本発明の飲酒運転抑止システムによれば、飲酒状態の運転者に自発的に車両を停止させて運転操作を止めることを期待でき、安全性も担保される。
【発明を実施するための最良の形態】
【００１４】
以下、本発明の実施の形態に係る飲酒運転抑止システムについて添付図面を参照して説明する。図１は実施形態に係る飲酒運転抑止システムの構成を示すブロック図である。本実施形態の飲酒運転抑止システムは、自動車に内蔵され、飲酒状態の運転者に対し自発的に車両を停止させて運転操作を止めることを促すように構成されている。図１に示すように、本実施形態の飲酒運転抑止システム１０は、アルコール検知センサ１２、車速センサ１４、温度センサ１６、妨害制御装置１８、加湿器２０、ウィンドウ開閉アクチュエータ２２、開閉式ウィンドウ２４、エアコンＥＣＵ２６及びエアコン２８を備えて構成されている。
【００１５】
アルコール検知センサ１２は、運転者の飲酒状態を検知するためのものであり、特許請求の範囲に記載の飲酒検知手段として機能する。アルコール検知センサ１２としては、半導体を用いたもの、燃料電池を用いたもの、赤外線を用いたものを適用することができる。
【００１６】
半導体を用いたアルコール検知センサは、半導体の中にもともと流れている電子の量が、車室内の空気中のアルコールにより吸収され、変化する特性を利用する。この原理のアルコール検知センサでは、半導体内の電子の量が変化することにより、センサ内の電気抵抗も変化するため、その電気抵抗の強さからアルコールの有無や運転者の呼気中アルコール濃度を推定することができる。
【００１７】
燃料電池を用いたアルコール検知センサは、車室内の空気中のアルコールから電子を作り出すことのできる燃料電池の特性を利用する。この原理のアルコール検知センサでは、アルコールにより作り出された電子の多さが、電気の流れの強さになるため、その電流の強さから、アルコールの有無や運転者の呼気中アルコール濃度を推定することができる。
【００１８】
赤外線を用いたアルコール検知センサは、赤外線が、車室内の空気中のアルコールにより吸収されることによる特性を利用する。この原理のアルコール検知センサでは、アルコールにより吸収された赤外線を、光検出器で電気信号に変換し、電気信号をマイクロプロセッサーで解析することにより、アルコールの有無や運転者の呼気中アルコール濃度を推定することができる。
【００１９】
なお、業務用車両におけるアルコール検知センサ１２としては、運転者の呼気中や血液中のアルコール濃度を直接測定するものとしても良い。
【００２０】
車速センサ１４は、車両の車速を測定するもので、既存のセンサを用いることができる。
【００２１】
温度センサ１６は、車両の外気温を検出するためのもので、特許請求の範囲に記載の外気温検出手段として機能する。
【００２２】
妨害制御装置１８は、アルコール検知センサ１２、車速センサ１４及び温度センサ１６からの情報に基づいて、加湿器２０、ウィンドウ開閉アクチュエータ２２、エアコンＥＣＵに指令信号を与えるためのもので、物理的にはＥＣＵ（Electric  Control  Unit）等のマイクロコンピュータのハードウェアおよびソフトウェアを利用して構成されている。
【００２３】
加湿器２０は、車両の車室内の湿度を増加させるためのものである。
【００２４】
ウィンドウ開閉アクチュエータ２２は、車両の開閉式ウィンドウ類２４を開閉するためのもので、特許請求の範囲に記載の車窓開閉手段として機能する。
【００２５】
エアコンＥＣＵ２６は、車両のエアコン２８を駆動させるためのもので、上述した妨害制御装置１８と合わせて、特許請求の範囲に記載の車室内温度制御手段として機能する。
【００２６】
次に、図２〜４を参照して、本実施形態の飲酒運転抑止システムの動作について説明する。本実施形態の飲酒防止システム１０は、運転者がエンジンを始動した状態から動作を開始する。図２に示すように、まず、アルコール検知センサ１２が運転者の飲酒状態の検知を行う（Ｓ１０）。もし、アルコール検知センサ１２が運転者の飲酒状態を検知した場合は、車速センサ１４は車両の車速を検出する（Ｓ１２）。車速センサ１４が車速が０ｋｍ／ｈより大きいことを検出し、車両が走行している場合は（Ｓ１３）、温度センサ１６は車両の外気温を取得する（Ｓ１４）。
【００２７】
図３に示すように、外気温が２０℃（高温閾値）以上と高いときは（Ｓ２０）、ウィンドウ開閉アクチュエータ２２は開閉式ウィンドウ類２４を全て閉め切る（Ｓ２１）。なお、この閾値とする温度は適宜変更することができる。エアコンＥＣＵ２６は、車室内温度が外気温より高くなるようにエアコン２８を暖房にし、最高温度かつ強風の設定で動作させる（Ｓ２２）。また、加湿器２０は最大加湿量となるように動作する（Ｓ２３）。この間において、エアコンＥＣＵ２６は、エアコン２８による湿気除去動作を行わないように動作させる（Ｓ２４）。
【００２８】
一方、外気温が２０℃未満のときは、図４に示すように、外気温が１５℃（低温閾値）以上と平均的であるときは（Ｓ３０）、ウィンドウ開閉アクチュエータ２２は、車両の左右いずれか一方の側の開閉式ウィンドウ類２４を完全に開放させ（Ｓ３１）、もう一方の側の開閉式ウィンドウ類２４は中程度の開度で開放させる（Ｓ３２）。エアコンＥＣＵ２６は、車室内温度が外気温より低くなるようにエアコン２８を冷房にし、最低温度かつ強風の設定で動作させる（Ｓ３３）。外気温が１５℃未満と低いときは（Ｓ３０）、ウィンドウ開閉アクチュエータ２２は、開閉式ウィンドウ類２４を全て開放させ（Ｓ３４）、エアコンＥＣＵ２６は、車室内温度が外気温より低くなるようにエアコン２８を冷房にし、最低温度かつ強風の設定で動作させる（Ｓ３５）。
【００２９】
本実施形態によれば、エアコンＥＣＵ２６は、アルコール検知センサ１２により運転者の飲酒状態が検知されたときは、温度センサ１６により検出された外気温が高いほど車室内の温度を高く制御し、温度センサ１６により検出された外気温が低いほど車室内の温度を低く制御する。そのため、判断力、反射能力等が低下した飲酒者に対しても感覚的に不快感を与えることができ、車内環境の不快さに耐えかねた運転者に運転操作を続行する意欲を低下させ、自発的に車両を停止させて運転操作を止めることを期待できる。また、この構成によれば、車両の運動性能の変更、運転特性の変更及び視界不良を引き起こすものではないため、安全性も担保される。
【００３０】
また、本実施形態によれば、外気温が２０℃以上の高いときに、加湿器２０は、温度センサ１６が検出した車室内の湿度を増加させる。さらに、ウィンドウ開閉アクチュエータ２２は開閉式ウィンドウ類２４を全て閉め切り、エアコンＥＣＵ２６はエアコン２８を最高温度及び強風の設定で動作させ、除湿動作も行わせないため、飲酒状態の運転者に蒸し暑さにより運転操作を続行する意欲を低下させ、運転操作を止めることを期待できる。
【００３１】
また、本実施形態によれば、温度センサ１６が検出した外気温が１５℃未満の低いときは、ウィンドウ開閉アクチュエータ２２は、車両の開閉式ウィンドウ類２４を全て開放し、エアコンＥＣＵ２６はエアコン２８を最低温度及び強風の設定で動作させるため、飲酒状態の運転者に寒さにより運転操作を続行する意欲を低下させ、運転操作を止めることを期待できる。
【００３２】
加えて、本実施形態によれば、温度センサ１６が検出した外気温が２０℃未満１５℃以上の中程度のときは、エアコンＥＣＵ２６はエアコン２８を最低温度及び強風の設定で動作させるとともに、ウィンドウ開閉アクチュエータ２２は、車両の左側及び右側それぞれに備えられた開閉式ウィンドウ類２４の開く度合いが異なるように開閉式ウィンドウ類２４を開くため、車室内の風の通り抜けを加速させて運転者の体感温度を冬場並みに寒くでき、飲酒状態の運転者に寒さにより運転操作を続行する意欲を低下させることを期待できる。
【００３３】
さらに、本実施形態によれば、夏場であれば車室内をサウナの一種としても使用でき、発汗により飲酒状態の運転者の酒気を除去することを支援することができる。
【００３４】
以上、本発明の実施の形態について説明したが、本発明は、上記実施形態に限定されるものではなく種々の変形が可能である。
【図面の簡単な説明】
【００３５】
【図１】実施形態に係る飲酒運転抑止システムの構成を示すブロック図である。
【図２】実施形態に係る飲酒運転抑止システムの動作を示すフロー図である。
【図３】実施形態に係る飲酒運転抑止システムの動作を示すフロー図である。
【図４】実施形態に係る飲酒運転抑止システムの動作を示すフロー図である。
【符号の説明】
【００３６】
１０…飲酒運転抑止システム、１２…アルコール検知センサ、１４…車速センサ、１６…温度センサ、１８…妨害制御装置、２０…加湿器、２２…ウィンドウ開閉アクチュエータ、２４…開閉式ウィンドウ、２６…エアコンＥＣＵ、２８…エアコン。
【図１】
2008184047.tif 000003
【図２】
2008184047.tif 000004
【図３】
2008184047.tif 000005
【図４】
2008184047.tif 000006